(57)【要約】      （修正有）【課題】一度で簡単且つ容易に開封することができるおにぎり包装シートを提供する。【解決手段】おにぎり包装シートの外側を形成する外フィルム１０と、外フィルムに載せてある海苔Ｋを密封できるように、外フィルムと周縁部で貼着される内フィルム２０とからなり、内フィルムは、互いに固定する第１分割２１と第２分割２２とからなり、第１分割の横方向右端部には、第１分割の縦方向に延びる第１貼着部が設けられ、第２分割の横方向左端部には、第２分割の縦方向に延びる第２貼着部が設けられて、第２貼着部が第１貼着部に面して折り畳まれた状態で貼着され、第１貼着部は、第１貼着部に沿って縦方向に並ぶ複数の第１突出面からなり、第２貼着部は、第２貼着部に沿って縦方向に並ぶ複数の第２突出面からなり、第１突出面及び２突出面は、第１分割及び第２分割の横方向右側に行くほど狭幅となる形状を有する。【選択図】図１
2010132288.tif 000002
【特許請求の範囲】
【請求項１】
おにぎりを包装するためのおにぎり包装シートであって、
前記おにぎり包装シートの外側を形成する外フィルムと、
該外フィルムに載せてある海苔を密封できるように、外フィルムと周縁部で貼着する内フィルムとからなり、
前記内フィルムは、互いに固定する第１分割と第２分割とからなり、
前記第１分割の横方向右端部には、該第１分割の縦方向に延びる第１貼着部が設けられ、
前記第２分割の横方向左端部には、該第２分割の縦方向に延びる第２貼着部が設けられて、前記第２貼着部が第１貼着部に面して折り畳まれた状態で貼着され、
前記第１貼着部は、該第１貼着部に沿って縦方向に並ぶ複数の第１突出面からなり、
前記第２貼着部は、該第２貼着部に沿って縦方向に並ぶ複数の第２突出面からなり、
前記第１突出面及び２突出面は、第１分割及び第２分割の横方向右側に行くほど狭幅となる形状を有することを特徴とする、おにぎり包装シート。
【請求項２】
おにぎりを包装するためのおにぎり包装シートであって、
前記おにぎり包装シートの外側を形成する外フィルムと、
該外フィルムに載せてある海苔を密封できるように、外フィルムと周縁部で貼着される内フィルムとからなり、
前記内フィルムは、互いに固定する第１分割と第２分割とからなり、
前記第１分割の横方向右端部には、該第１分割の縦方向に延びる第１貼着部が設けられ、
前記第２分割の横方向左端部には、該第２分割の縦方向に延びる第２貼着部が設けられて、前記第２貼着部が第１貼着部に面して折り畳まれた状態で貼着され、
前記第１貼着部は、該第１貼着部に沿って縦方向に並ぶ複数の第１突出面からなり、
前記第１突出面は、第１分割の横方向右側に行くほど狭幅となる形状を有することを特徴とする、おにぎり包装シート。
【請求項３】
おにぎりを包装するためのおにぎり包装シートであって、
前記おにぎり包装シートの外側を形成する外フィルムと、
該外フィルムに載せてある海苔を密封できるように、外フィルムと周縁部で貼着される内フィルムとからなり、
前記内フィルムは、互いに固定する第１分割と第２分割とからなり、
前記第１分割の横方向右端部には、該第１分割の縦方向に延びる第１貼着部が設けられ、
前記第２分割の横方向左端部には、該第２分割の縦方向に延びる第２貼着部が設けられて、前記第２貼着部が第１貼着部に面して折り畳まれた状態で貼着され、
前記第２貼着部は、該第２貼着部に沿って縦方向に並ぶ複数の第２突出面からなり、
前記第２突出面は、第２分割の横方向右側に行くほど狭幅となる形状を有することを特徴とする、おにぎり包装シート。
【請求項４】
前記第１貼着部及び第２貼着部には、上方に突出し、且つ、横方向に延びる凹凸部が設けられていることを特徴とする、請求項１ないし請求項３のいずれか１項に記載のおにぎり包装シート。
【請求項５】
前記第１貼着部及び２貼着部の第１分割及び２分割に対して横方向左側には、密封部が更に設けられ、
前記密封部は、第１貼着部及び２貼着部に連接されて、第１分割及び２分割の横方向に所定幅を有すると共に、第１貼着部及び２貼着部の縦方向に延びることを特徴とする、請求項１ないし請求項３のいずれか１項に記載のおにぎり包装シート。
【請求項６】
前記第１突出面は、第１分割の横方向右側に行くほど狭幅となる三角形又は台形であることを特徴とする、請求項１又は請求項２に記載のおにぎり包装シート。
【請求項７】
前記第２突出面は、第２分割の横方向右側に行くほど狭幅となる三角形又は台形であることを特徴とする、請求項１又は請求項３に記載のおにぎり包装シート。
【請求項８】
前記外フィルムには、外フィルムの縦方向上方から下方に延び、該外フィルムに貼着されるカットテープが取り付けられていることを特徴とする、請求項１ないし請求項３のいずれか１項に記載のおにぎり包装シート。
【請求項９】
前記外フィルムの縦方向端部には、外フィルムのカットテープを容易に摘むために、縦方向切り込み部が設けられていることを特徴とする、請求項１ないし請求項３のいずれか１項に記載のおにぎり包装シート。
【発明の詳細な説明】
【技術分野】
【０００１】
本発明は、おにぎりを包装するためのおにぎり包装シートに関し、より詳しくは、包装シートを一度で簡単に開封することができるおにぎり包装シートに関する。
【背景技術】
【０００２】
従来のおにぎりを包装する包装シートは、略四角形のビニール製の内フィルムと外フィルムとの間に海苔を挿入し、内フィルムと外フィルムとの周縁を貼着して形成される。そして、内フィルムと外フィルムとの間には、おにぎり包装の易開封性のためにカットテープが縦方向に延びて取り付けられている。
【０００３】
このように包装されているおにぎりを食べるためには、まず、おにぎり包装シートの中央に縦方向に取り付けられたカットテープを、おにぎり包装シート前面の垂直上方から下方に引っ張って、おにぎり包装シートの外フィルムを、縦方向を中心に左右に分断する、ｉ）外フィルム分断ステップを行う。
【０００４】
次に、分断されたおにぎり包装シートを両側から引っ張って、おにぎり包装シートを、垂直中央部を中心に左右に引き裂く、ｉｉ）包装シートの左右引き裂きステップを行って、海苔と米飯だけ残し、残っている海苔で三角形の米飯を包んで食べれば良い。
【０００５】
このように包装されているおにぎりを食べるためには、通常、外フィルムに垂直長手方向に延びるカットテープが取り付けられており、該カットテープをおにぎり前面の垂直上方から下方に引っ張ってから、更におにぎり背面の垂直下方から上方に引っ張ることで、外フィルムがおにぎりの中央垂直部を中心に左右に引き裂くように分断される。
【０００６】
なお、内フィルムには、中央部が垂直長手方向に開放された切り込み部が設けられているため、別途の切り取り作業が要らず、外フィルムに取り付けられているカットテープを引っ張るだけで包装シートの外フィルムと内フィルムのいずれもおにぎりを中心に左右に分断され、左右から包装シートを引っ張ることで包装シートを引き裂くことができる。
【０００７】
しかし、このような形態のおにぎり包装シートは、上述したように内フィルムが切り込まれた状態で包装されるので、賞味期限が短くなって味が落ち、米飯から生じた水蒸気などにより海苔が湿気てしまうという問題があった。
【０００８】
上記問題を解決するために、韓国特許第４９５３２１号公報には、図１６に示すように、内フィルム１００に別途の切り込み部を設けず、その代わり、内フィルム１００を引き裂くために、別途のカットテープ２００が内フィルム１００に更に取り付けられた構成が開示されている。
【０００９】
したがって、韓国特許第４９５３２１号公報では、図１７に示すように、外フィルム３００引き裂き用カットテープ４００をおにぎり前面の垂直上方から下方に引っ張ってから、更におにぎり背面の垂直下方から上方に引っ張って、外フィルム３００を先に引き裂く（図１７ステップ（ａ）ないし（ｃ）参照）。
【００１０】
次に、内フィルム１００引き裂き用カットテープ２００を用いて、外フィルムを引き裂いた場合と同様、内フィルム１００をおにぎりの垂直方向に引き裂く（図１７ステップ（ｄ）参照）ことで、外フィルム３００と内フィルム１００のいずれも左右に引き裂けるように構成されている。
【００１１】
このように、韓国特許第４９５３２１号公報の包装シートでは、外フィルム３００引き裂き用カットテープ４００と、内フィルム１００引き裂き用カットテープ２００とが別々に取り付けられているので、包装シートを完全に開封するためには、外フィルム３００を引き裂いてから、内フィルム１００引き裂き用カットテープ２００を用いて内フィルム１００を更に引き裂いて包装シートを開封しなければならない。
【００１２】
したがって、従来のおにぎり包装シートを分断するステップに比べ、ｉ）外フィルム分断ステップ、及びｉｉ）包装シートの左右引き裂きステップ以外に、ｉｉｉ）内フィルム引き裂きステップを更に行わなければならないため、このような煩わしさから易開封性を求めるおにぎり製品の競争力が低下してしまうという短所があった。
【特許文献１】韓国特許第４９５３２１号
【発明の開示】
【発明が解決しようとする課題】
【００１３】
本発明は、上記問題を解決するためになされたものであって、その目的は、一度で簡単且つ容易に開封することができるおにぎり包装シートを提供することにある。
【課題を解決するための手段】
【００１４】
本発明は、上記課題を果たすために、おにぎりを包装するためのおにぎり包装シートであって、前記おにぎり包装シートの外側を形成する外フィルムと、該外フィルムに載せてある海苔を密封できるように、外フィルムと周縁部で貼着される内フィルムとからなり、前記内フィルムは、互いに固定する第１分割と第２分割とからなり、前記第１分割の横方向右端部には、該第１分割の縦方向に延びる第１貼着部が設けられ、前記第２分割の横方向左端部には、該第２分割の縦方向に延びる第２貼着部が設けられて、前記第２貼着部が第１貼着部に面して折り畳まれた状態で貼着され、前記第１貼着部は、該第１貼着部に沿って縦方向に並ぶ複数の第１突出面からなり、前記第２貼着部は、該第２貼着部に沿って縦方向に並ぶ複数の第２突出面からなり、前記第１突出面及び２突出面は、第１分割及び第２分割の横方向右側に行くほど狭幅となる形状を有することを特徴とする。
【００１５】
本発明は、上記課題を果たすために、おにぎりを包装するためのおにぎり包装シートであって、前記おにぎり包装シートの外側を形成する外フィルムと、該外フィルムに載せてある海苔を密封できるように、外フィルムと周縁部で貼着される内フィルムとからなり、前記内フィルムは、互いに固定する第１分割と第２分割とからなり、前記第１分割の横方向右端部には、該第１分割の縦方向に延びる第１貼着部が設けられ、前記第２分割の横方向左端部には、該第２分割の縦方向に延びる第２貼着部が設けられて、前記第２貼着部が第１貼着部に面して折り畳まれた状態で貼着され、前記第１貼着部は、該第１貼着部に沿って縦方向に並ぶ複数の第１突出面からなり、前記第１突出面は、第１分割の横方向右側に行くほど狭幅となる形状を有することを特徴とする。
【００１６】
本発明は、上記課題を果たすために、おにぎりを包装するためのおにぎり包装シートであって、前記おにぎり包装シートの外側を形成する外フィルムと、該外フィルムに載せてある海苔を密封できるように、外フィルムと周縁部で貼着される内フィルムとからなり、前記内フィルムは、互いに固定する第１分割と第２分割とからなり、前記第１分割の横方向右端部には、該第１分割の縦方向に延びる第１貼着部が設けられ、前記第２分割の横方向左端部には、該第２分割の縦方向に延びる第２貼着部が設けられて、前記第２貼着部が第１貼着部に面して折り畳まれた状態で貼着され、前記第２貼着部は、該第２貼着部に沿って縦方向に並ぶ複数の第２突出面からなり、前記２突出面は、第２分割の横方向右側に行くほど狭幅となる形状を有することを特徴とする。
【００１７】
本発明に係るおにぎり包装シートにおいて、前記第１貼着部及び第２貼着部には、上方に突出し、且つ、横方向に延びる凹凸部が設けられていることを特徴とする。
【００１８】
本発明に係るおにぎり包装シートにおいて、前記第１貼着部及び２貼着部の第１分割及び２分割に対して横方向左側には、密封部が更に設けられ、該密封部は、第１貼着部及び２貼着部に連接されて、第１分割及び２分割の横方向に所定幅を有すると共に、第１貼着部及び２貼着部の縦方向に延びることを特徴とする。
【００１９】
本発明に係るおにぎり包装シートにおいて、前記第１突出面は、第１分割の横方向右側に行くほど狭幅となる三角形又は台形であることを特徴とする。
【００２０】
本発明に係るおにぎり包装シートにおいて、前記第２突出面は、第２分割の横方向右側に行くほど狭幅となる三角形又は台形であることを特徴とする。
【００２１】
本発明に係るおにぎり包装シートにおいて、前記外フィルムには、外フィルムの縦方向上方から下方に延び、且つ、該外フィルムに貼着されるカットテープが取り付けられていることを特徴とする。
【００２２】
本発明に係るおにぎり包装シートにおいて、前記外フィルムの縦方向端部には、外フィルムのカットテープを用いて容易に引き裂くように、縦方向の切り込み部が設けられていることを特徴とする。
【発明の効果】
【００２３】
本発明のおにぎり包装シートの構成によれば、おにぎり包装シートを開封するとき、カットテープを１度摘んで引っ張るだけで、海苔と米飯から包装シートを容易に分離することができる。
【００２４】
また、本発明の簡単なおにぎり包装シートの構成によれば、おにぎりを容易に開封して食べることができ、易開封性を求めるおにぎりの製品競争力が向上するという効果をもたらす。
【発明を実施するための最良の形態】
【００２５】
以下、本発明に係る実施例について図面を参照しながら説明する。図１は、本発明に係るおにぎり包装シートの一実施例の展開斜視図である。図２は、本発明に係るおにぎり包装シートの一実施例の展開側面図である。
【００２６】
本発明に係るおにぎり包装シートは、包装シートの外側を形成する外フィルム１０と、該外フィルム１０に載せてある海苔Ｋが被さるように外フィルム１０と貼着される内フィルム２０とからなる。
【００２７】
内フィルム２０は、海苔Ｋが載せてある外フィルム１０に被さった後、外フィルム１０及び内フィルム２０の内周縁部１０ａ，２０ａを密封することで、外部からの空気などが海苔と接触しないようになる。
【００２８】
外フィルム１０は、略四角形であり、従来の三角形のおにぎり包装シートのようにフィルム状であって、ビニール製又はカットテープで容易に引き裂ける他の材質であり得る。
【００２９】
外フィルム１０の中央部には、縦方向に長く延びるカットテープ１１が取り付けられており、カットテープ１１は、外フィルム１０と一体に又は別に取り付けることができる。
【００３０】
カットテープ１１は、公知の構成であって、消費者が容易に識別し得るように、赤色などで製作し、外フィルム１０より強い素材で製作される。
【００３１】
カットテープ１１が取り付けられた外フィルム１０の端部には、カットテープ１１を容易に摘むために、カットテープ１１の幅程度の溝からなる１つ又は１対のカット溝１２が設けられている。
【００３２】
内フィルム２０は、第１分割２１と第２分割２２とからなる。
【００３３】
第１分割２１の横方向右端部には、第１分割２１の縦方向に延びる第１貼着部２３が設けられている。
【００３４】
第２分割２２の横方向左端部には、第２分割２２の縦方向に延びる第２貼着部２４が設けられている。
【００３５】
第２貼着部２４が第１貼着部２３に折り畳まれた状態で貼着されることで、内フィルム２０が形成される。
【００３６】
なお、第１貼着部及び２貼着部２３，２４には、それぞれ第１分割２１及び第２分割２２に対して横方向右側に行くほど狭幅となる第１突出面及び２突出面２３ａ，２４ｂが設けられている。
【００３７】
本実施例では、突出面が三角形であるが、これに限定するのではなく、第１分割に対して横方向に行くほど狭幅となる形であれば、台形など他の形でも可能である。
【００３８】
以下、図３ないし図５を参照しながら、内フィルムを形成する過程について説明する。
【００３９】
図３は、本発明に係るおにぎり包装シートにおける内フィルムを形成する過程のステップ（ａ）を示す図である。
【００４０】
内フィルム２０を形成するために、第２分割２２と第１分割２１とが重なるように、両者を折り重ねる。
【００４１】
図４は、本発明に係るおにぎり包装シートにおける内フィルムを形成する過程のステップ（ｂ）を示す図である。
【００４２】
熱融着装置などによって、第１分割２１の第１貼着部２３と、第２分割２２の第２貼着部２４とが互いに貼着される。
【００４３】
熱融着装置などによって、第１貼着部と２貼着部２３，２４とを互いに貼着する場合、第１貼着部及び２貼着部２３，２４の第１突出面及び２突出面２３ａ，２４ａに、上方に突出し、且つ、横方向に延びる凹凸部２５を設けることで、内フィルム２０における第１分割２１と第２分割２２を横方向に引き裂くことがより容易になる。
【００４４】
図５は、本発明に係るおにぎり包装シートにおける内フィルムを形成する過程のステップ（ｃ）を示す図である。
【００４５】
最後に、第２分割２２の第２貼着部２４が第１分割２１の第１貼着部２３に貼着された状態で、第１貼着部及び２貼着部２３，２４を中心に第２分割２２を時計回りに回して折ることで、第２貼着部２４が第１貼着部２３に面して折り畳まれた状態で貼着されるように形成される内フィルム２０が完成する。
【００４６】
図６は、本発明に係るおにぎり包装シートにおける貼着部の他の実施例を示す図である。
【００４７】
本発明に係る貼着部の他の実施例では、突出面を第１貼着部及び２貼着部のいずれかの貼着部にのみ設けることもできる。
【００４８】
即ち、図６に示すように、第１貼着部２３にのみ第１突出面２３ａを設け、第２貼着部２４は、矩形に設けることもできる。
【００４９】
また、第１貼着部及び２貼着部２３，２４は、第１分割及び２分割２１，２２に対して横方向左側に設けられる密封部２６を更に備え、密封部２６は、第１貼着部及び２貼着部２３，２４に連接されて、第１分割及び２分割２１，２２の横方向に所定幅を有すると共に、第１貼着部及び２貼着部２３，２４の縦方向に延びるように設けられる。
【００５０】
このような密封部２６を更に設けることで、内フィルム２０の第１分割２１と第２分割２２は、第１貼着部及び２貼着部２３，２４ではもちろん、密封部２６によって貼着部が増加することになり、おにぎり包装シートの密封を一層確実にすることができる。
【００５１】
図７は、本発明に係るおにぎり包装シートを用いて米飯を包む過程のステップ（ａ）を示す図である。
【００５２】
おにぎり包装シートの内フィルム２０に三角形の米飯Ｒを載せた後、おにぎり包装シートの下部を、三角形の底辺にあたる部分を折曲線として、上下対称になるように上方に折り曲げることで、米飯の前面及び背面を包装する。
【００５３】
図８は、本発明に係るおにぎり包装シートを用いて米飯を包む過程のステップ（ｂ）を示す図である。
【００５４】
次に、半分に折り曲げた外フィルム１０及び内フィルム２０の外周縁上部及び両側部を熱融着手段などによって互いに貼着した後、おにぎり包装シート上部の左右側の両角端部を、三角形の側辺にあたる部分を折曲線として、おにぎりの背面方向に折り曲げる。
【００５５】
図９は、本発明に係るおにぎり包装シートを用いて米飯を包む過程のステップ（ｃ）を示す図である。
【００５６】
最後に、おにぎりの背面で折り曲げられた包装シートの左右側の角をテープやステッカなどの貼着手段３０又は熱融着などを用いて、おにぎりの背面で包装シートの外フィルム１０に貼着することで、おにぎりの包装が完成する。
【００５７】
以下では、本発明に係る包装シートで包装されたおにぎりを開封する過程をステップ毎に説明する。
【００５８】
図１０は、本発明に係る包装シートで包装されたおにぎりの外フィルムを引き裂くステップ（ａ）を示す図である。
【００５９】
消費者は、まず、外フィルム１０の上端に突出している外フィルムのカットテープ１１を摘む。
【００６０】
図１１は、本発明に係る包装シートで包装されたおにぎりの外フィルムを引き裂くステップ（ｂ）を示す図である。
【００６１】
次に、摘んだカットテープ１１をおにぎり前面の上方から下方に垂直方向に引っ張ることで、外フィルム１０の前面部の全体が垂直中央部を中心に左右に引き裂くように分断される。
【００６２】
図１２は、本発明に係る包装シートで包装されたおにぎりの外フィルムを引き裂くステップ（ｃ）を示す図である。
【００６３】
最後に、外フィルムのカットテープ１１をおにぎりの下方を経て背面の下方から上方に引っ張ると、外フィルム１０の背面部も中央部を中心に左右に分断されて、外フィルム１０が垂直中央部を中心に引き裂くようになる。
【００６４】
図１３は、本発明に係る包装シートで包装されたおにぎりの内フィルムを引き裂くステップ（ａ）を示す図である。
【００６５】
まず、消費者は、内フィルムを引き裂くために、おにぎり包装シートの底面部で外フィルム１０及び内フィルム２０の両端部を摘んだ後、外側に向かって左右に力を加えて引っ張る。
【００６６】
図１４は、本発明に係る包装シートで包装されたおにぎりの内フィルムを引き裂くステップ（ｂ）を示す図である。
【００６７】
おにぎり包装シートの外フィルム１０及び内フィルム２０の左右を続けて引っ張ると、第２分割２２に設けた第２貼着部２４が第１分割２１の第１貼着部２３から取り外され始める。
【００６８】
このとき、第１貼着部及び２貼着部２１，２２に設けられた突出面２３ａ，２４ａは、第１分割２１及び第２分割２２の横方向外端部に行くほど狭幅となる形状を有するので、最初にある程度の引張力を加えるだけで、次には力をそれ程与えなくても、互いに引き裂いて消費者が内フィルム２０を容易に引き裂くことができるようになる。
【００６９】
したがって、従来技術では、ｉｉ）包装シートの左右引き裂きステップを行うと同時に内フィルム分断ステップが行われるが、本実施例では、別のｉｉｉ）内フィルム分断ステップを行わなくても、おにぎり包装シートを引き裂くことができる。
【００７０】
図１５は、本発明に係るおにぎり包装シートの外フィルム及び内フィルムが引き裂かれた状態を示す図である。
【００７１】
おにぎり包装シートの外フィルム１０及び内フィルム２０の左右を続けて引っ張ると、第１分割２１と第２分割２２が縦方向の垂直中央部を中心に左右に完全に引き裂いて、海苔と米飯のみが残るようになる。消費者は、海苔を三角形の米飯の形に沿って包んだ後、食べれば良い。
【００７２】
本発明では、このように内フィルム２０の中央部に切り込み部を設けないことで、賞味期限を長くしても味が落ちず、米飯から生じた水蒸気などにより海苔が湿気ないおにぎり包装シートを、ｉ）外フィルム引き裂きステップ、及びｉｉ）包装シート引き裂きステップのみを行うことで、おにぎり包装シートの開封が容易に行われる。
【図面の簡単な説明】
【００７３】
【図１】本発明に係るおにぎり包装シートの展開斜視図である。
【図２】本発明に係るおにぎり包装シートの展開側面図である。
【図３】本発明に係るおにぎり包装シートで内フィルムを形成する過程のステップ（ａ）を示す図である。
【図４】本発明に係るおにぎり包装シートで内フィルムを形成する過程のステップ（ｂ）を示す図である。
【図５】本発明に係るおにぎり包装シートで内フィルムを形成する過程のステップ（ｃ）を示す図である。
【図６】本発明に係るおにぎり包装シートで貼着部の他の実施例を示す図である。
【図７】本発明に係るおにぎり包装シートを用いて米飯を包む過程のステップ（ａ）を示す図である。
【図８】本発明に係るおにぎり包装シートを用いて米飯を包む過程のステップ（ｂ）を示す図である。
【図９】本発明に係るおにぎり包装シートを用いて米飯を包む過程のステップ（ｃ）を示す図である。
【図１０】本発明に係る包装シートで包装されたおにぎりの外フィルムを引き裂くステップ（ａ）を示す図である。
【図１１】本発明に係る包装シートで包装されたおにぎりの外フィルムを引き裂くステップ（ｂ）を示す図である。
【図１２】本発明に係る包装シートで包装されたおにぎりの外フィルムを引き裂くステップ（ｃ）を示す図である。
【図１３】本発明に係る包装シートで包装されたおにぎりの内フィルムを引き裂くステップ（ａ）を示す図である。
【図１４】本発明に係る包装シートで包装されたおにぎりの内フィルムを引き裂くステップ（ｂ）を示す図である。
【図１５】本発明に係るおにぎり包装シートの外フィルム及び内フィルムを引き裂いた状態を示す図である。
【図１６】従来技術のおにぎり包装シートを示す図である。
【図１７】従来技術のおにぎり包装シートで包装シートを開封する過程を示す図である。
【図１】
2010132288.tif 000003
【図２】
2010132288.tif 000004
【図３】
2010132288.tif 000005
【図４】
2010132288.tif 000006
【図５】
2010132288.tif 000007
【図６】
2010132288.tif 000008
【図７】
2010132288.tif 000009
【図８】
2010132288.tif 000010
【図９】
2010132288.tif 000011
【図１０】
2010132288.tif 000012
【図１１】
2010132288.tif 000013
【図１２】
2010132288.tif 000014
【図１３】
2010132288.tif 000015
【図１４】
2010132288.tif 000016
【図１５】
2010132288.tif 000017
【図１６】
2010132288.tif 000018
【図１７】
2010132288.tif 000019